(57)【特許請求の範囲】
【請求項１】
１年間における複数の分割期間のそれぞれについて、晴天の状態において太陽電池パネルに影がかからない時刻における前記太陽電池パネルの発電電力に対する基準値が格納される記憶部と、
前記太陽電池パネルの発電電力の計測値が生成された時刻を示す時刻情報と、前記複数の分割期間のうち前記計測値が生成された分割期間を示す期間情報とが対応付けられた前記計測値を取得する取得部と、
前記太陽電池パネルの設置場所における気象状態を推定する推定部と、
前記記憶部を参照して、前記取得部で取得された前記計測値と、前記計測値の前記期間情報および前記時刻情報に対応する前記基準値とを比較し、前記計測値が前記基準値未満である場合、前記太陽電池パネルが異常であると判定する異常判定処理を行う判定部とを備え、
前記判定部は、前記推定部で推定された前記気象状態が晴天である日時に生成された前記計測値を用いて前記異常判定処理を行う
監視装置。
【請求項２】
前記監視装置は、さらに、前記異常判定処理の判定結果を外部装置に送信する送信部を備える
請求項１に記載の監視装置。
【請求項３】
請求項１または２に記載の監視装置と、
前記太陽電池パネルと、
前記太陽電池パネルの発電電力を計測することにより前記計測値を生成し、前記計測値を前記監視装置に出力する計測部とを備える
太陽光発電装置。
【請求項４】
１年間における複数の分割期間のそれぞれについて、晴天の状態において太陽電池パネルに影がかからない時刻における前記太陽電池パネルの発電電力に対する基準値が格納される記憶部と、
前記太陽電池パネルの発電電力の計測値が生成された時刻を示す時刻情報と、前記複数の分割期間のうち前記計測値が生成された分割期間を示す期間情報とが対応付けられた前記計測値を取得する取得部と、
前記太陽電池パネルの設置場所における気象状態を推定する推定部と、
前記記憶部を参照して、前記取得部で取得された前記計測値と、前記計測値の前記期間情報および前記時刻情報に対応する前記基準値とを比較し、前記計測値が前記基準値未満である場合、前記太陽電池パネルが異常であると判定する異常判定処理を行う判定部とを備え、
前記判定部は、前記推定部で推定された前記気象状態が晴天である日時に生成された前記計測値を用いて前記異常判定処理を行う
監視システム。
【請求項５】
太陽電池パネルの発電電力の計測値が生成された時刻を示す時刻情報と、１年間における複数の分割期間のうち前記計測値が生成された分割期間を示す期間情報とが対応付けられた前記計測値を取得する取得ステップと、
前記太陽電池パネルの設置場所における気象状態を推定する推定ステップと、
前記複数の分割期間のそれぞれについて、晴天の状態において前記太陽電池パネルに影がかからない時刻における前記太陽電池パネルの発電電力に対する基準値が格納された記憶部を参照して、前記取得ステップで取得された前記計測値と、前記計測値の前記期間情報および前記時刻情報に対応する前記基準値とを比較し、前記計測値が前記基準値未満である場合、前記太陽電池パネルが異常であると判定する異常判定処理を行う判定ステップとを備え、
前記判定ステップでは、前記推定ステップで推定された前記気象状態が晴天である日時に生成された前記計測値を用いて前記異常判定処理を行う
監視方法。
【請求項６】
請求項５に記載の監視方法をコンピュータに実行させるためのプログラム。
【発明の詳細な説明】
【技術分野】
【０００１】
本発明は、太陽電池パネルの異常を監視する監視装置等に関する。
【背景技術】
【０００２】
近年、太陽光発電装置は、自然エネルギーの活用という観点で脚光を浴びており、太陽電池パネルは、広大な敷地だけでなく、家または高層ビルなどの建物の屋上にも設置されている。この種の太陽光発電装置において、太陽電池パネルの発電電力の計測結果に基づいて、太陽電池パネルの異常を検出する構成がある（例えば、特許文献１参照）。
【先行技術文献】
【特許文献】
【０００３】
【特許文献１】特開２００９−２６７０３１号公報
【発明の概要】
【発明が解決しようとする課題】
【０００４】
しかしながら、太陽電池パネルの発電電力は、太陽電池パネルの故障による低下だけでなく、太陽電池パネルの周囲にある構造物などの影、または、雲の影が太陽電池パネルにかかった場合も低下する。そのため、太陽電池パネルの発電電力が低下した際に、太陽電池パネルの異常による低下なのか、影の影響による低下なのかを区別することが困難である。したがって、影の影響によって太陽電池パネルの発電電力が低下した際に、太陽電池パネルが異常であると誤検出するおそれがある。【０００５】
本発明は、上記事由に鑑みてなされており、その目的は、太陽電池パネルの異常検出において、影の影響による誤検出を抑制することができる監視装置等を提供することである。
【課題を解決するための手段】
【０００６】
本発明の一態様に係る監視装置は、１年間における複数の分割期間のそれぞれについて、晴天の状態において太陽電池パネルに影がかからない時刻における前記太陽電池パネルの発電電力に対する基準値が格納される記憶部と、前記太陽電池パネルの発電電力の計測値が生成された時刻を示す時刻情報と、前記複数の分割期間のうち前記計測値が生成された分割期間を示す期間情報とが対応付けられた前記計測値を取得する取得部と、前記太陽電池パネルの設置場所における気象状態を推定する推定部と、前記記憶部を参照して、前記取得部で取得された前記計測値と、前記計測値の前記期間情報および前記時刻情報に対応する前記基準値とを比較し、前記計測値が前記基準値未満である場合、前記太陽電池パネルが異常であると判定する異常判定処理を行う判定部とを備え、前記判定部は、前記推定部で推定された前記気象状態が晴天である日時に生成された前記計測値を用いて前記異常判定処理を行う。【０００７】
本発明の一態様に係る監視システムは、１年間における複数の分割期間のそれぞれについて、晴天の状態において太陽電池パネルに影がかからない時刻における前記太陽電池パネルの発電電力に対する基準値が格納される記憶部と、前記太陽電池パネルの発電電力の計測値が生成された時刻を示す時刻情報と、前記複数の分割期間のうち前記計測値が生成された分割期間を示す期間情報とが対応付けられた前記計測値を取得する取得部と、前記太陽電池パネルの設置場所における気象状態を推定する推定部と、前記記憶部を参照して、前記取得部で取得された前記計測値と、前記計測値の前記期間情報および前記時刻情報に対応する前記基準値とを比較し、前記計測値が前記基準値未満である場合、前記太陽電池パネルが異常であると判定する異常判定処理を行う判定部とを備え、前記判定部は、前記推定部で推定された前記気象状態が晴天である日時に生成された前記計測値を用いて前記異常判定処理を行う。【０００８】
本発明の一態様に係る監視方法は、太陽電池パネルの発電電力の計測値が生成された時刻を示す時刻情報と、１年間における複数の分割期間のうち前記計測値が生成された分割期間を示す期間情報とが対応付けられた前記計測値を取得する取得ステップと、前記太陽電池パネルの設置場所における気象状態を推定する推定ステップと、前記複数の分割期間のそれぞれについて、晴天の状態において前記太陽電池パネルに影がかからない時刻における前記太陽電池パネルの発電電力に対する基準値が格納された記憶部を参照して、前記取得ステップで取得された前記計測値と、前記計測値の前記期間情報および前記時刻情報に対応する前記基準値とを比較し、前記計測値が前記基準値未満である場合、前記太陽電池パネルが異常であると判定する異常判定処理を行う判定ステップとを備え、前記判定ステップでは、前記推定ステップで推定された前記気象状態が晴天である日時に生成された前記計測値を用いて前記異常判定処理を行う。
【発明の効果】
【０００９】
本発明の一態様に係る監視装置等によって、太陽電池パネルの異常検出において、影の影響による誤検出が抑制される。
【図面の簡単な説明】
【００１０】
【図１】図１は、実施の形態における監視装置を含む太陽光発電装置のブロック構成図である。
【図２】図２は、実施の形態における監視装置の処理を示す概念図である。
【図３】図３は、実施の形態における異常判定処理のフローチャートである。
【図４】図４は、実施の形態における計測値と基準値との関係図である。
【発明を実施するための形態】
【００１１】
以下、本発明の実施の形態を図面に基づいて説明する。なお、以下で説明する実施の形態は、いずれも包括的または具体的な例を示す。以下の実施の形態で示される数値、形状、材料、構成要素、構成要素の配置位置および接続形態、動作の順序等は、一例であり、本発明を限定する主旨ではない。また、以下の実施の形態における構成要素のうち、最上位概念を示す独立請求項に記載されていない構成要素は、任意の構成要素として説明される。
【００１２】
（実施の形態）
図１に、本実施の形態における監視装置１を含む太陽光発電装置１０のブロック構成図を示す。本実施の形態の太陽光発電装置１０は、複数の太陽電池パネル２と、パワーコンディショナ３と、太陽電池パネル２の発電電力を計測値に基づいて太陽電池パネル２の異常を検出する監視装置１とを備える。ここで、太陽電池パネル２の異常は、太陽電池パネル２が正常に動作しない状態等を意味し、具体的には、太陽電池パネル２の故障、不調、誤動作および動作不良等を意味する。
【００１３】
太陽電池パネル２は、家、高層ビルまたは工場などの建物の屋上に設けられ、太陽光を受光することで発電する。太陽電池パネル２の発電電力は、パワーコンディショナ３が備える電力変換部３１によって直流から交流に変換され、建物に設けられた電気負荷に供給、または売電される。
【００１４】
また、太陽光発電装置１０は、所望の発電電力が得られるように、複数の太陽電池パネル２を直列および並列に接続することで太陽電池アレイ２００を構成している。具体的には、図１に示すように、太陽電池アレイ２００において、複数の太陽電池パネル２が電気的に直列に接続されたストリング２０が、電気的に並列に接続されている。なお、太陽電池パネル２の設置場所は、建物の屋上に限定されず、地面の上に太陽電池パネル２が設置されていてもよい。
【００１５】
パワーコンディショナ３は、計測部３２を備えている。計測部３２は、太陽電池パネル２の発電電力（単位時間（例えば１分、５分など）当たりの発電電力量）を計測することにより、発電電力の計測値を生成する。例えば、計測部３２は、１つのストリング２０を構成する複数の太陽電池パネル２の発電電力の合計を計測することで複数の太陽電池パネル２の発電電力の計測値を生成する。
【００１６】
さらに、計測部３２は、太陽電池パネル２の発電電力の計測値に、この計測値の生成日時を示すタイムスタンプ、および、計測対象であるストリング２０の識別番号を付加する。また、パワーコンディショナ３は、いわゆる通信インターフェースである通信部３３を備えている。計測部３２は、通信部３３を用いて、タイムスタンプおよび識別番号が付加された計測値を監視装置１に出力する。
【００１７】
なお、発電電力の計測値の生成日時は、発電電力の計測日時に相当する。また、発電電力の計測値は、発電電力計測値と表現されてもよいし、発電電力データと表現されてもよい。また、本実施の形態では、計測部３２は、１つのストリング２０を構成する複数の太陽電池パネル２の発電電力の合計を計測する。しかし、計測部３２が行う計測方法は、この計測方法に限定されない。計測部３２は、各太陽電池パネル２の発電電力を個別に計測することで太陽電池パネル２の発電電力の計測値を生成してもよい。
【００１８】
次に、監視装置１の構成について説明する。監視装置１は、記憶部１１、通信部１２、取得部１３、推定部１４、判定部１５、および、送信部１６を備える。そして、監視装置１は、影によって太陽電池パネル２の発電電力が低下することが考慮された監視方法に従い、計測部３２から送信される計測値に基づいて、太陽電池パネル２の出力が正常である否かを監視する。以下に、監視装置１の構成について説明する。
【００１９】
記憶部１１は、１年間における複数の分割期間のそれぞれに対応した基準値が格納されている。分割期間は、例えば、１年間における１ヶ月単位の期間、すなわち１月〜１２月のそれぞれにおける月初めから月末までの期間である。なお、分割期間の長さは、上記に限定されず、例えば２ヶ月間または２週間などであってもよい。
【００２０】
基準値は、晴天の状態で太陽電池パネル２に影がかからない時刻（以降、日射時刻という）における太陽電池パネル２の発電電力に対する基準値である。この基準値は、分割期間毎に、日射時刻における太陽電池パネル２の発電電力に基づいて設定される。
【００２１】
この日射時刻とは、例えば、日中に雲の影が太陽電池パネル２にかからない晴れた日において、位置が固定されている構造物（建物、室外機および看板など）および植物などの影が太陽電池パネル２にかからない時刻である。構造物および植物などの影の大きさは、季節に応じて同じ時刻であっても変化するので、日射時刻は分割期間毎に設定される。
【００２２】
なお、日射時刻は、構造物および植物の位置および大きさ、および、太陽電池パネル２の設置場所の経緯度などに基づいたシミュレーションによって、分割期間毎に求められてもよい。
【００２３】
また、本実施の形態では、太陽電池パネル２に影がかかるか否かが１時間毎に判定されており、判定時刻から１時間前までの期間において太陽電池パネル２に影がかからない場合、判定時刻は日射時刻であると判定される。例えば、１２時〜１３時までの期間において太陽電池パネル２に影がかからない場合、１３時は日射時刻であると判定される。日射時刻を判定するための期間は、１時間に限定されず、３０分などであってもよい。
【００２４】
ここで、晴れた日における単位時間当たりの日射量は、時刻に応じて変化し、さらに季節によっても変化する。例えば、朝または夕方の日射量は、昼頃の日射量に比べて少なく、冬の所定時刻における日射量は、夏の所定時刻における日射量に比べて少ない。言い換えれば、晴れた日における単位時間当たりの日射量は、同じ季節および同じ時間帯であれば同程度に維持されると推定される。
【００２５】
そこで、基準値は、上述した通り、分割期間毎に、日射時刻における太陽電池パネル２の発電電力に基づいて設定される。具体的には、基準値は、太陽電池パネル２の出力が正常であると仮定して、日射時刻における太陽電池パネル２の発電電力を推定することで得られる発電電力の推定値に基づいて設定される。
【００２６】
また、記憶部１１には、分割期間毎に基準値が格納される。したがって、記憶部１１には、複数の分割期間に対する複数の基準値が格納される。また、記憶部１１には、分割期間毎に、複数の日射時刻に対する複数の基準値が格納されてもよい。
【００２７】
太陽電池パネル２の発電電力の推定値は、太陽電池パネル２の出力性能、設置された向き、および、設置場所の経緯度などに基づいたシミュレーションによって各分割期間の日射時刻に対応付けて求めることができる。そして、太陽電池パネル２の発電電力の推定値に、１未満の所定係数（例えば０．８または０．７など）を乗算することで得られる値が基準値として設定される。
【００２８】
なお、基準値は、発電電力基準値と表現されてもよい。また、上記において、基準値は、シミュレーションによる発電電力の推定値に基づいて設定されている。しかし、基準値は、晴れた日における日射時刻の発電電力の実測値に基づいて設定されてもよい。
【００２９】
このように、記憶部１１には、晴天の状態で太陽電池パネル２に影がかからない時刻（日射時刻）における太陽電池パネル２の発電電力に対する基準値が、分割期間毎に日射時刻に対応付けて格納される。
【００３０】
通信部１２は、いわゆる通信インターフェースであり、パワーコンディショナ３が備える通信部３３と通信可能である。具体的には、通信部１２は、有線または無線を媒体とした信号の授受を行う。通信部１２は、さらに、日射量計４と通信可能であってもよいし、外部装置５と通信可能であってもよい。
【００３１】
取得部１３は、通信部１２を介して計測部３２から太陽電池パネル２の発電電力の計測値を取得し、記憶部１１に格納する。この計測値には、計測値の生成日時を示すタイムスタンプが付加されている。すなわち、計測値には、計測値が生成された時刻（生成時刻）を示す時刻情報、および、計測値が生成された分割期間を示す期間情報が対応付けられている。そして、記憶部１１には、タイムスタンプが付加された計測値が蓄積される。
【００３２】
推定部１４は、複数の太陽電池パネル２の設置場所における気象状態を推定する。例えば、推定部１４は、日射量計４の計測結果である計測日射量を用いて、太陽電池パネル２の設置場所における気象状態を推定する。
【００３３】
日射量計４は、複数の太陽電池パネル２が設置された建物の屋上において、１年のうちいずれの季節、および、日中のいずれの時刻においても構造物および植物の影がかからない場所に設けられている。そして、日射量計４は、日射量計４の設置場所における日射量を計測し、計測日射量に計測日時を示すタイムスタンプを付加して監視装置１に送信する。
【００３４】
推定部１４は、太陽電池パネル２の設置場所の気象状態と、太陽電池パネル２と同一の敷地内に設置されている日射量計４の設置場所の気象状態とが同一であるとみなし、計測日射量に基づいて太陽電池パネル２の設置場所の気象状態を推定する。具体的には、推定部１４は、通信部１２を介して日射量計４から計測日射量を取得し、この計測日射量と、予め設定された基準日射量とを比較することで、太陽電池パネル２の設置場所の気象状態を推定する。
【００３５】
計測日射量と比較される基準日射量は、日射量計４に雲の影がかからない晴天の場合において日射量計４によって計測されると推定される日射量の推定値に基づいて、予め設定される。
【００３６】
推定部１４は、実際の計測日射量が基準日射量以上である場合、太陽電池パネル２の設置場所の気象状態が晴天であると推定する。また、推定部１４は、実際の計測日射量が基準日射量未満である場合、太陽電池パネル２の設置場所の気象状態が晴天ではない（例えば曇天または雨天）と推定する。ここでいう晴天とは、太陽電池パネル２に雲の影がかかっていない気象状態を意味する。
【００３７】
このように、推定部１４は、タイムスタンプが付加された計測日射量を取得し、取得した計測日射量に基づいて太陽電池パネル２の設置場所の気象状態を推定する。そして、推定部１４は、気象状態の推定結果と、計測日射量に付加されたタイムスタンプとを対応付けて、記憶部１１に格納する。したがって、記憶部１１には、気象状態の推定結果であって、タイムスタンプが対応付けられた推定結果が蓄積される。
【００３８】
なお、計測日射量と比較される基準日射量は、日射量計４の設置場所の経緯度および計測日時などに応じて補正されてもよい。
【００３９】
判定部１５は、記憶部１１に格納されている計測値（発電電力計測値）と基準値（発電電力基準値）とを比較し、太陽電池パネル２の出力が正常であるか否かを判定する異常判定処理を行う。例えば、判定部１５は、異常判定処理を１日毎に行っており、例えば日没後の所定時刻（例えば２１時）において、この日（判定対象日）の計測値を用いて異常判定処理を行う。
【００４０】
この異常判定処理を行うために、判定部１５は、異常判定処理に用いる基準値と計測値とを記憶部１１から抽出する。具体的には、判定部１５は、記憶部１１に格納された複数の基準値の中から、判定対象日が属する分割期間に対応する基準値を比較対象の基準値として抽出する。
【００４１】
また、判定部１５は、記憶部１１に格納された各計測値のタイムスタンプを確認し、判定対象日の１以上の計測値を記憶部１１から抽出する。そして、判定部１５は、判定対象日の１以上の計測値の中から、比較対象の基準値の日射時刻に対応する時刻に生成された１以上の計測値を記憶部１１から抽出する。ここで、基準値の日射時刻に対応する時刻とは、太陽電池パネル２に影がかからない日射時刻として基準値に対応付けられた日射時刻から所定時間前（例えば、１時間前）までの期間に含まれる時刻である。すなわち、判定部１５は、構造物および植物などの影が太陽電池パネル２にかからない時刻に生成された１以上の計測値を抽出する。
【００４２】
さらに、判定部１５は、記憶部１１を参照して、推定部１４で推定された気象状態およびそのタイムスタンプを確認し、判定対象日において推定された気象状態が晴天である時間帯（以降、晴天時間帯という）を確認する。そして、判定部１５は、抽出した１以上の計測値の中から、計測値の生成時刻が晴天時間帯に含まれる計測値を抽出する。
【００４３】
すなわち、判定部１５は、構造物および植物などの影が太陽電池パネル２にかかっておらず、かつ、雲の影が太陽電池パネル２にかかっていない時刻に生成された計測値を抽出する。
【００４４】
このように、判定部１５は、判定対象日が属する分割期間に対応する基準値を記憶部１１から抽出する。さらに、判定部１５は、判定対象日の１以上の計測値のうち、生成時刻が基準値の日射時刻に対応し、かつ、晴天時間帯に含まれる計測値を抽出する。そして、判定部１５は、抽出した基準値と、抽出した計測値とを比較することにより異常判定処理を行う。
【００４５】
すなわち、判定部１５は、太陽電池パネル２の設置場所が晴天である日時に生成された計測値と、この計測値の期間情報および時刻情報に対応する基準値とを比較することにより異常判定処理を行う。
【００４６】
なお、１つの基準値に対して、比較対象の計測値が複数抽出される場合、判定部１５は、抽出した複数の計測値の平均値を基準値と比較する。また、判定対象日が属する分割期間に日射時刻が異なる複数の基準値が対応付けられている場合、判定部１５は、すべての基準値を抽出し、さらに各基準値に対して比較対象となる計測値を抽出する。そして、判定部１５は、基準値と計測値とを１対１に対応付けて比較する。
【００４７】
判定部１５は、抽出した基準値と計測値とを比較し、計測値が基準値以上である場合、判定対象の太陽電池パネル２の出力が正常であると判定する。また、判定部１５は、計測値が基準値未満である場合、判定対象の太陽電池パネル２の出力が異常であると判定する。判定部１５は、計測値が基準値未満である回数が、所定回数連続した場合、計測値に付加されている識別番号のストリング２０を構成する太陽電池パネル２が異常であると判定してもよい。
【００４８】
送信部１６は、判定部１５による異常判定処理の判定結果を例えば汎用のパソコンである外部装置５に通信部１２を介して送信する。外部装置５は、受信した異常判定処理の判定結果を例えば液晶ディスプレイである表示部５１に表示させ、ユーザに太陽電池パネル２の出力が正常であるか否かを通知する。
【００４９】
図２は、図１に示された監視装置１の主な処理を示す概念図である。図２のように、監視装置１は、計測値（発電電力計測値）を取得する。そして、監視装置１は、計測値と、監視装置１の記憶部１１に格納された基準値（発電電力基準値）とを比較し、太陽電池パネル２が正常か異常かを判定する。そして、監視装置１は、正常か異常かの判定結果を外部装置５へ送信する。
【００５０】
次に、異常判定処理について、図３に示すフローチャートを用いて説明する。
【００５１】
判定部１５は、予め設定された所定時刻に異常判定処理を実行する。まず、判定部１５は、判定対象日が属する分割期間に対応する基準値（発電電力基準値）を記憶部１１から抽出する（Ｓ１）。次に、判定部１５は、判定対象日の１以上の計測値（発電電力計測値）の履歴から、計測値の生成時刻が基準値の日射時刻に対応する１以上の計測値を記憶部１１から抽出する（Ｓ２）。さらに、判定部１５は、抽出した１以上の計測値の中に、計測値の生成時刻が晴天時間帯に含まれる計測値があるか確認する（Ｓ３）。
【００５２】
判定部１５は、抽出した１以上の計測値の中に、計測値の生成時刻が晴天時間帯に含まれる計測値がある場合（Ｓ３でＹｅｓ）、計測値の生成時刻が晴天時間帯に含まれる計測値を抽出する（Ｓ４）。そして、判定部１５は、抽出した基準値と計測値とを比較する（Ｓ５）。
【００５３】
判定部１５は、計測値が基準値以上である場合（Ｓ５でＹｅｓ）、太陽電池パネル２の出力が正常であると判定する（Ｓ６）。一方、判定部１５は、計測値が基準値未満である場合（Ｓ５でＮｏ）、太陽電池パネル２の出力が異常であると判定する（Ｓ７）。また、ステップＳ３において、抽出した１以上の計測値の中に、発電電力の生成時刻が晴天時間帯に含まれる計測値がない場合（Ｓ３でＮｏ）、異常判定処理が終了する。
【００５４】
また、判定対象日が属する分割期間に、日射時刻が異なる複数の基準値が対応付けられている場合、次の基準値を用いた異常判定処理が行われる。
【００５５】
このように、本実施の形態の監視装置１は、太陽電池パネル２に影がかかっていないときの計測値と、太陽電池パネル２が正常である場合の発電電力の推定値に基づいて設定された基準値とを比較することにより異常判定処理を行う。すなわち、構造物または植物の影が太陽電池パネル２にかかっているときの計測値、および、雲の影が太陽電池パネル２にかかっているときの計測値が除外された１以上の計測値が、異常判定処理に用いられる。
【００５６】
したがって、監視装置１では、影の影響による太陽電池パネル２の発電電力の低下と、太陽電池パネル２の故障による太陽電池パネル２の発電電力の低下とが区別される。これにより、監視装置１は、太陽電池パネル２の異常検出において、影の影響による誤検出を抑制することができる。すなわち、監視装置１は、太陽電池パネル２に影がかかっていることによる太陽電池パネル２の発電電力の低下を異常と判定する誤判定を抑制することができる。
【００５７】
図４は、図１に示された監視装置１が取得する計測値（発電電力計測値）と、図１に示された監視装置１が有する基準値（発電電力基準値）との関係図である。図４には、複数の時刻における複数の基準値が示されている。これらの基準値は、１つの分割期間における基準値である。
【００５８】
この例では、６時から１３時まで、および、１６時から１８時までに含まれる時刻が日射時刻に相当する。特に、１４時から１５時までの間において構造物の影が太陽電池パネル２にかかるため、この間の基準値は除かれている。したがって、監視装置１は、この間において太陽電池パネル２の異常を判定しない。
【００５９】
また、この例では、９時から１０時までの間、雲の影が太陽電池パネル２にかかっている。そのため、９時から１０時までの間において計測値が基準値を下回る。一方、推定部１４は、９時から１０時までの間、太陽電池パネル２の設置場所における気象状態が晴天ではないと判定する。したがって、監視装置１は、この間の計測値を異常判定処理に用いない。すなわち、監視装置１は、この間において太陽電池パネル２の異常を判定しない。
【００６０】
よって、監視装置１は、太陽電池パネル２に影がかからない６時〜８時、１１時〜１３時および１６時〜１８時における計測値および基準値を比較し、太陽電池パネル２が正常か異常かを判定する。よって、監視装置１は、影の影響によって異常を誤検出することを抑制することができる。
【００６１】
なお、図４の例では、晴天の状態において太陽電池パネル２に影がかからない複数の時刻に対して複数の基準値が記憶部１１に記憶されている。しかし、晴天の状態において太陽電池パネル２に影がかからない１つの時刻に対して１つの基準値が記憶部１１に記憶されていてもよい。そして、その１つの時刻における気象状態が晴天であると推定部１４によって推定された場合に、その１つの時刻における計測値を用いて判定部１５が異常判定処理を行ってもよい。
【００６２】
上記の通り、監視装置１は、記憶部１１と取得部１３と推定部１４と判定部１５とを備える。
【００６３】
記憶部１１には、１年間における複数の分割期間のそれぞれについて、晴天の状態において太陽電池パネル２に影がかからない時刻（日射時刻）における太陽電池パネル２の発電電力に対する基準値が格納される。取得部１３は、太陽電池パネル２の発電電力の計測値が生成された時刻を示す時刻情報と、複数の分割期間のうち計測値が生成された分割期間を示す期間情報とが対応付けられた計測値を取得する。推定部１４は、太陽電池パネル２の設置場所における気象状態を推定する。
【００６４】
判定部１５は、記憶部１１を参照して、取得部１３で取得された計測値と、この計測値の期間情報および時刻情報に対応する基準値とを比較し、計測値が基準値未満である場合、太陽電池パネル２が異常であると判定する異常判定処理を行う。この異常判定処理において、判定部１５は、推定部１４で推定された気象状態が晴天である日時に生成された計測値を用いる。
【００６５】
また、太陽光発電装置１０は、監視装置１と、太陽電池パネル２と、太陽電池パネル２の発電電力を計測することにより計測値を生成し、計測値を監視装置１に出力する計測部３２とを備える。
【００６６】
上記構成により、本実施の形態の監視装置１および太陽光発電装置１０は、影の影響による太陽電池パネル２の発電電力の低下と、太陽電池パネル２の故障による太陽電池パネル２の発電電力の低下とが区別される。これにより、本実施の形態の監視装置１および太陽光発電装置１０は、太陽電池パネル２の異常検出において、影の影響による誤検出を防止することができる。
【００６７】
また、監視装置１は、異常判定処理の判定結果を外部装置５に送信する送信部１６を備える。上記構成により、ユーザに太陽電池パネル２の出力が正常であるか否かの異常判定結果を通知することができる。
【００６８】
また、本実施の形態の推定部１４は、計測日射量に基づいて太陽電池パネル２の設置場所の気象状態を推定しているが、気象状態の推定方法は、この推定方法に限定されない。
【００６９】
例えば、推定部１４は、天気予報等の気象情報を提供しているウェブサイト（例えば、気象庁または各地方の地方管区気象台のホームページなど）からインターネットを通して太陽電池パネル２の設置場所を含む地域の気象データを取得してもよい。そして、推定部１４は、取得した気象データに基づいて、太陽電池パネル２の設置場所の気象状態を推定してもよい。このように構成することによって、日射量計４を設ける必要がなく、気象状態の推定処理が簡略化される。
【００７０】
また、本実施の形態の判定部１５は、異常判定処理を１日毎に行っているが、別のタイミングで異常判定処理を行ってもよい。例えば、判定部１５は、日射時刻になると、この日射時刻に対応する基準値と計測値とを用いて異常判定処理を行う。このように構成することによって、太陽電池パネル２の異常をリアルタイムで検出することができる。
【００７１】
また、監視装置１は、監視システムとして実現されてもよい。例えば、この監視システムは、複数の装置を備え、かつ、監視装置１に含まれる構成要素を備えてもよい。
【００７２】
なお、上述した実施の形態は本発明の一例である。このため、本発明は、上述の実施の形態に限定されることはなく、この実施の形態以外であっても、本発明に係る技術的思想を逸脱しない範囲であれば、設計等に応じて種々の変更が可能であることはもちろんのことである。
【００７３】
例えば、特定の構成要素が実行する処理を別の構成要素が実行してもよい。また、処理を実行する順番が変更されてもよいし、複数の処理が並行して実行されてもよい。
【００７４】
また、本発明は、監視装置１および太陽光発電装置１０として実現できるだけでなく、監視装置１および太陽光発電装置１０を構成する各構成要素が行うステップ（処理）を含む監視方法および太陽光発電方法として実現できる。
【００７５】
例えば、監視方法は、取得ステップと推定ステップと判定ステップとを含む。取得ステップでは、太陽電池パネル２の発電電力の計測値が生成された時刻を示す時刻情報と、複数の分割期間のうち計測値が生成された分割期間を示す期間情報とが対応付けられた計測値を取得する。推定ステップでは、太陽電池パネル２の設置場所における気象状態を推定する。
【００７６】
判定ステップでは、記憶部１１を参照して、取得ステップで取得された計測値と、この計測値の期間情報および時刻情報に対応する基準値とを比較し、計測値が基準値未満である場合、太陽電池パネル２が異常であると判定する異常判定処理を行う。また、判定ステップでは、推定ステップで推定された気象状態が晴天である日時に生成された計測値を用いて、異常判定処理を行う。
【００７７】
また、例えば、監視方法等に含まれるステップは、コンピュータ（コンピュータシステム）によって実行されてもよい。そして、本発明は、監視方法等に含まれるステップを、コンピュータに実行させるためのプログラムとして実現されてもよい。さらに、本発明は、そのプログラムを記録したＣＤ−ＲＯＭ等である非一時的なコンピュータ読み取り可能な記録媒体として実現されてもよい。
【００７８】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００７９】
また、監視装置１等に含まれる複数の構成要素は、それぞれ、専用または汎用の回路として実現されてもよい。これらの構成要素は、１つの回路として実現されてもよいし、複数の回路として実現されてもよい。
【００８０】
また、監視装置１等に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部または全てを含むように１チップ化されてもよい。ＬＳＩは、集積度の違いにより、システムＬＳＩ、スーパーＬＳＩまたはウルトラＬＳＩと呼称される場合がある。
【００８１】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【００８２】
さらに、半導体技術の進歩または派生する別技術によりＬＳＩに置き換わる集積回路化の技術が登場すれば、当然、その技術を用いて、監視装置１等に含まれる複数の構成要素の集積回路化が行われてもよい。
【符号の説明】
【００８３】
１  監視装置
２  太陽電池パネル
５  外部装置
１０  太陽光発電装置
１１  記憶部
１３  取得部
１４  推定部
１５  判定部
１６  送信部
３２  計測部
【図１】
0006573129.tif 000002
【図２】
0006573129.tif 000003
【図３】
0006573129.tif 000004
【図４】
0006573129.tif 000005